(57)【特許請求の範囲】
【請求項１】
遠隔操作が可能な映像再生装置から映像信号を受け、所望の画面を静止画像としてプリントする印刷部を有する画像形成装置において、
映像再生装置で再生中の画面のプリントを指示する単一の操作キーと、
映像再生装置に遠隔操作の信号を送るリモコン信号送信部と、
映像再生装置から受けた映像信号を少なくとも１画面分記憶可能なメモリと、
単一の操作キーの操作に応じて、映像再生装置の逆方向スロー再生および一時停止、映像再生装置から受けた１画面分の映像信号のメモリへの記憶、並びにメモリに記憶した映像信号に応じた画像のプリントを印刷部に指示する制御部とを備え、
制御部は、単一の操作キーの１回目の操作で、映像再生装置へ逆方向スロー再生を指示し、２回目の操作で、映像再生装置へ一時停止を指示し、一時停止の確認後、１画面分の映像信号をメモリへ記憶し、その映像信号に応じた画像のプリントを印刷部に指示することを特徴とする画像形成装置。
【請求項２】
制御部は、単一の操作キーの２回目の操作において、キーの押し下げから解放までの時間が所定時間を超えるときには、印刷部にプリントを指示することなく、映像再生装置に順方向の通常再生を指示する請求項１記載の画像形成装置。
【請求項３】
制御部は、単一の操作キーの２回目の操作において、キーの押し下げから解放までの時間が所定の範囲にあるときには、印刷部にプリントを指示することなく、映像再生装置に再度逆方向、つまり順方向のスロー再生を指示して、単一の操作キーの次の操作待ちを継続する請求項１記載の画像形成装置。
【請求項４】
制御部は、単一の操作キーの次の操作待ちを継続しているときに、単一の操作キーの３回目以降の操作が行われたときには、そのつど映像再生装置に再生方向の反転を指示するとともに、その反転毎により遅いスロー再生を指示する請求項３記載の画像形成装置。
【請求項５】
制御部は、単一の操作キーの２回目の操作において、キーが押し下げられたときから第２の所定時間が経過するまで、映像再生装置の再生方向の反転可能期間であることをユーザに報知する請求項１記載の画像形成装置。
【発明の詳細な説明】
【０００１】
【発明の属する技術分野】
本発明は、画像形成装置に関し、さらに詳しくは、ＶＴＲ等の動画再生装置から画像を取り込んで印刷を行う画像形成装置に関する。
【０００２】
【従来の技術】
この種の画像形成装置として、特開平６−２５３２４５号公報に記載のようなビデオプリンタが知られている。これにおいては、ＶＴＲ側でコマ送り操作を行って正確な画面の取り込みを行うようにしている。
【０００３】
また、特開平６−３０３５５９号公報に記載のようなビデオプリンタも知られている。これにおいては、プリンタにフリーズボタンとプリントボタンを設け、フリーズボタンによってＶＴＲの再生を停止させ、２回目以降のフリーズボタン操作でコマ送りを行い、必要な画面の再生停止状態でプリントボタンを押して、画面の印刷を行うことで、ＶＴＲを直接操作せずに、プリンタ側の操作だけで映像の取り込みと印刷を行うようにしている。
【０００４】
【発明が解決しようとする課題】
しかしながら、上述のようなコマ送りで必要な画面の取り込みを行うようにしたビデオプリンタでは、コマ送りを始める画面が目的の画面に十分近い位置でないと、コマ送り操作を多くの回数繰り返す必要がある。また、コマ送りだけで目的の画面に移動するには、予め取り込む画面が分かっていて、その直前で停止して、コマ送りに移行する必要があった。
【０００５】
このため、映像に対する予備知識がない場合には、取り込みたい画面が現れてから画面の停止操作を行っても、取り込みたい画面が通過してしまうことが多く、巻き戻しを行って、再度直前で停止させる必要があった。
【０００６】
本発明は、このような事情を考慮してなされたもので、プリンタ側に単一の操作キーを設け、この操作キーの押し下げと解放動作のタイミングで、画像を取り込むための一連の動作をＶＴＲに指示できるようにすることで、ユーザにとって予備知識のない映像であっても、印刷したい画面をプリンタ側から効率よく指定できるようにすることを目的とするものである。
【０００７】
【課題を解決するための手段】
本発明は、遠隔操作が可能な映像再生装置から映像信号を受け、所望の画面を静止画像としてプリントする印刷部を有する画像形成装置において、映像再生装置で再生中の画面のプリントを指示する単一の操作キーと、映像再生装置に遠隔操作の信号を送るリモコン信号送信部と、映像再生装置から受けた映像信号を少なくとも１画面分記憶可能なメモリと、単一の操作キーの操作に応じて、映像再生装置の逆方向スロー再生および一時停止、映像再生装置から受けた１画面分の映像信号のメモリへの記憶、並びにメモリに記憶した映像信号に応じた画像のプリントを印刷部に指示する制御部とを備え、制御部は、単一の操作キーの１回目の操作で、映像再生装置へ逆方向スロー再生を指示し、２回目の操作で、映像再生装置へ一時停止を指示し、一時停止の確認後、１画面分の映像信号をメモリへ記憶し、その映像信号に応じた画像のプリントを印刷部に指示することを特徴とする画像形成装置である。
【０００８】
本発明によれば、単一の操作キーの１回目の操作で、映像再生装置へ逆方向スロー再生を指示し、２回目の操作で、映像再生装置から受けた映像信号に応じた画像のプリントを印刷部に指示する。したがって、ＶＴＲのような映像再生装置から画像をキャプチャして印刷する場合、所望のシーンの取り込みを指定するタイミングが難しいが、このような単一キーの操作で、画像を取り込むための一連の動作を映像再生装置に指示することにより、ユーザにとって予備知識のない映像であっても、印刷したい画面をプリンタ側から効率よく指定することができる。
【０００９】
【発明の実施の形態】
本発明において、映像再生装置は、遠隔操作が可能なものであればよく、アナログ方式、デジタル方式を問わず、いずれの映像再生装置であってもよい。また、映像再生装置で再生される映像記録メディアも、どのような映像記録メディアであってもよい。映像再生装置としては、たとえば、ＶＴＲ、ＤＡＴ、ＤＶＤなどが挙げられる。
【００１０】
本発明の画像形成装置は、映像再生装置から映像信号を受け、所望の画面を静止画像としてプリントする印刷部を有するものであればよい。この画像形成装置の印刷部としては、レーザープリンタや、インクジェットプリンタなど、当該分野で公知の各種のプリンタを適用することができる。
【００１１】
単一の操作キーは、映像再生装置で再生中の画面のプリントを指示することができるものであればよく、プリントボタンなど、種々の操作キーを適用することができる。
【００１２】
リモコン信号送信部は、映像再生装置に遠隔操作の信号を送ることができるものであればよい。このリモコン信号送信部も当該分野で公知のリモコン信号を適用したものであり、順方向の再生、逆方向の再生、一時停止、巻き戻しなどの、公知のリモコン信号を送ることができるものであればよい。
【００１３】
メモリは、映像再生装置から受けた映像信号を少なくとも１画面分記憶可能なものであれば良く、通常、フレームバッファと呼ばれるメモリを適用することができる。
【００１４】
制御部は、単一の操作キーの操作に応じて、映像再生装置の逆方向スロー再生および一時停止、映像再生装置から受けた１画面分の映像信号のメモリへの記憶、並びにメモリに記憶した１画面分の映像信号に応じた画像のプリントを印刷部に指示することができるものであればよい。
【００１５】
単一の操作キーで行われる映像再生装置の動作は、全て公知の動作と同じものであり、映像再生装置に公知のリモコン信号を与えることで、映像再生装置の逆方向スロー再生および一時停止の動作を行わせることができる。
【００１６】
映像再生装置から受けた１画面分の映像信号のメモリへの記憶、並びにメモリに記憶した１画面分の映像信号に応じた画像のプリントの印刷部への指示は、公知のビデオプリンタなどの構成を適用することができる。
【００１７】
制御部は、単一の操作キーの１回目の操作で、映像再生装置へ逆方向スロー再生を指示し、２回目の操作で、映像再生装置へ一時停止を指示し、一時停止の確認後、映像再生装置から受けた映像信号をメモリへ記憶し、１画面分の映像信号に応じた画像のプリントを印刷部に指示するように作動する。
【００１８】
この場合、制御部は、単一の操作キーの２回目の操作において、キーの押し下げから解放までの時間が所定時間を超えるときには、印刷部にプリントを指示することなく、映像再生装置に順方向の通常再生を指示するように構成することが望ましい。
【００１９】
また、制御部は、単一の操作キーの２回目の操作において、キーの押し下げから解放までの時間が所定の範囲にあるときには、印刷部にプリントを指示することなく、映像再生装置に逆方向のスロー再生を指示して、単一の操作キーの次の操作待ちを継続するように構成することが望ましい。
【００２０】
そして、この場合、制御部は、単一の操作キーの次の操作待ちを継続しているときに、単一の操作キーの３回目以降の操作が行われたときには、そのつど映像再生装置に再生方向の反転を指示するとともに、その反転毎により遅いスロー再生を指示するように構成することが望ましい。
【００２１】
また、制御部は、単一の操作キーの２回目の操作において、キーが押し下げられたときから第２の所定時間が経過するまで、映像再生装置の再生方向の反転可能期間であることをユーザに報知するように構成することが望ましい。
【００２２】
以下、図面に示す実施の形態に基づいて本発明を詳述する。なお、本発明はこれによって限定されるものではなく、各種の変形が可能である。
【００２３】
図１は本発明による画像形成装置の一実施形態の構成を示すブロック図である。この図において、１は映像再生装置としてのＶＴＲ、２はモニタ装置（テレビ）、３はプリンタである。本実施形態は、本発明の画像形成装置をビデオ用のプリンタ３として適用した例を示している。
【００２４】
ＶＴＲ１は、当該分野で公知のビデオデッキであり、制御部１１、再生部１２、操作部１３、および出力部１４で構成されている。再生部１２は、ビデオテープのような映像記録メディア１２ａを装着して再生することが可能である。操作部１３には、プリンタ３からのリモコン信号を受けるリモコン受信部１３ａが設けられている。
【００２５】
モニタ装置２は、通常のテレビと同じものであり、制御部２１、および操作部２２で構成されている。操作部２２には、画像形成装置３からのリモコン信号を受けるリモコン受信部２２ａが設けられている。
【００２６】
ＶＴＲ１から出力された映像信号と音声信号は、モニタ装置２に入力され、映像の表示が行われて、音声が発生されるようになっている。また、ＶＴＲ１から出力された映像信号は、プリンタ２にも入力される。
【００２７】
プリンタ３は、リモコン信号送信部３１、映像入力部３２、Ａ／Ｄ変換部３３、メモリ３４、画像処理部３５、印刷部３６、操作部３７、表示部３８、音声出力部３９、制御部４０で構成されている。操作部３７には、単一の操作キーとしてプリントボタン３７ａが設けられており、このプリントボタンをユーザが操作することで、後述する各種の指示を行うようになっている。
【００２８】
リモコン信号送信部３１は、ＶＴＲ１とモニタ装置に対して各種のリモコン信号を送信する。このリモコン信号は赤外線を用いて送信するようになっている。映像入力部３２は、映像信号の入力部であり、ＶＴＲ１から映像記録メディア１２ａの映像信号を受け取る。
Ａ／Ｄ変換部３３は、アナログの映像信号をデジタル信号に変換する。
【００２９】
メモリ３４には、フレームバッファ３４ａが設定されており、このフレームバッファ３４ａに１画面分の映像信号が書き込まれる。映像信号がカラー信号である場合には、Ｒ、Ｇ、Ｂの各色ごとに書き込まれる。
【００３０】
画像処理部３５は、フレームバッファ３４ａ内の１画面分の映像信号に画像処理を施して、印刷部３６で印刷可能なデータずつ、順次印刷部３６に送る。この画像処理は、印刷用にデータを変換する処理であり、たとえば、映像信号がカラー信号である場合には、Ｒ、Ｇ、Ｂの各色の光強度から諧調を算出して、Ｃ（シアン）、Ｍ（マゼンタ）、Ｙ（イエロー）、Ｂｋ（ブラック）の各印刷色の濃度に変換するような処理が含まれる。この画像処理は、公知の方法を適用して行う。
【００３１】
印刷部３６は、レーザプリンタやインクジェットプリンタで構成され、画像処理部３５から送られてくる印刷データを順次プリントする。
【００３２】
表示部３８は、ユーザに各種の警告を発するものであり、液晶モニタ、ＬＥＤなどの各種の表示装置を適用したものである。音声出力部３９も、ユーザに各種の警告を発するものであり、電子ブザー、電子合成音声などの各種の音声発生装置を適用したものである。表示部３８および音声出力部３９はオプションであり、かならずしも両方設ける必要はない。
【００３３】
制御部４０は、操作部３７の、特にプリントボタン３７ａの操作指示を受け、プリンタ３の動作を制御する。
【００３４】
図２はプリントボタン３７ａの操作に応じて行う制御部の動作を示す説明図である。図では、プリントボタン３７ａの押し下げを、図中下方向に、解放を上方向に、時間軸を右方向にとっている。
【００３５】
制御部４０は、ＶＴＲ１による順方向の通常再生時に、プリントボタン３７ａが押し下げられると、１回目の押し下げとみなし、この押し下げが解放された時刻ｔ０の時点で、本発明の制御モードに入り、ＶＴＲ１に逆方向のスロー再生を指示する。
【００３６】
次に、この逆方向のスロー再生の状態で、プリントボタン３７ａが押し下げられると、２回目の押し下げとみなし、この押し下げが開始された時刻ｔ１の時点で、ＶＴＲ１に一時停止を指示して、画像を取り込む。すなわち、フレームバッファ３４ａに１画面分の映像信号を書き込む。
【００３７】
これにより、通常再生で所望の画面を認識してから、逆方向のスロー再生で所望の画面を選ぶことができるので、画像の取り込み指示の遅れをカバーすることができる。
【００３８】
そして、このプリントボタン３７ａの押し下げが開始された時刻ｔ１の時点でタイマーをスタートさせて、プリントボタン３７ａの押し下げが解放される時刻ｔ２までの時間をカウントし、その（ｔ２−ｔ１）の時間に応じて、ＶＴＲ１に以下の３種類の指示を行う。
【００３９】
▲１▼プリントボタン３７ａの押し下げの継続が第１の所定時間Ｔ１（例えば３秒）未満であれば、取り込んだ画像の印刷を指示し、本発明の制御モードを抜けて、ＶＴＲ１に順方向の通常の再生を指示する。そして、ＶＴＲ１の再生を行いながら、印刷を実行する。
【００４０】
▲２▼プリントボタン３７ａの押し下げの継続が第１の所定時間Ｔ１以上で、かつ第２の所定時間Ｔ２（例えば６秒）未満であれば、取り込んだ画像の印刷を指示せず、再度逆方向、つまり順方向のさらに遅いスロー再生を行い、プリントボタン３７ａの次の押し下げ待ちを継続する。
【００４１】
そして、この押し下げ待ちを継続しているときに、プリントボタン３７ａの３回目以降の押し下げが行われたときには、そのつど画像を取り込んで、ＶＴＲ１に再生方向の反転を指示するとともに、その反転毎により遅いスロー再生を指示する。この場合、最終的にはコマ送りになる。
【００４２】
上記においては、逆方向のスロー再生ではなく、逆方向のコマ送り再生（例えば１秒間隔）に切り替えるようにしてもよい。コマ送り再生の指示としては、所定間隔ごとにコマ送り信号の送信を繰り返すことにより行う。この場合には、反転毎により遅いコマ送り再生（例えば２秒間隔）を指示するようにする。
【００４３】
▲３▼プリントボタン３７ａの押し下げの継続が第２の所定時間Ｔ２以上であれば、取り込んだ画像を破棄して印刷を指示せず、本発明の制御モードを抜けて、ＶＴＲ１に順方向の通常の再生を指示する。
【００４４】
以上をまとめると、制御部４０の指示は次のようになる。
ｔ０の時点：逆方向のスロー再生またはコマ送り再生
ｔ１の時点：一時停止−画像取り込み
ｔ２の時点：
▲１▼（ｔ２−ｔ１）＜Ｔ１の場合、ｔ１で取り込んだ画像を印刷→通常再生
▲２▼Ｔ１≦（ｔ２−ｔ１）＜Ｔ２の場合、再生方向反転→２回目押し下げ待ち
▲３▼Ｔ２≦（ｔ２−ｔ１）の場合、通常再生（ｔ１で取り込んだ画像は破棄）
【００４５】
これにより、プリントボタン３７ａの押し下げのタイミングがずれた場合でも、無駄な印刷を防止して、再度所望の画面を選択することができる。しかも、その場合、反転ごとに、よりスローな再生にしていけば、さらに正確なタイミングで画像を取り込むことができる。また、コマ送り再生にした場合には、よりスローなコマ送り再生にしていけば、確実で正確なタイミングで画像を取り込むことができる。
【００４６】
制御部４０は、本発明の制御モードでの逆または順方向のスロー再生の状態においては、プリントボタン３７ａの押し下げの継続が第１の所定時間Ｔ１を経過した時点から、プリントボタン３７ａが解放されるまでの間、もしくはプリントボタン３７ａが押し下げられたままで第２の所定時間Ｔ２が経過するまでの間は、ＶＴＲ１の再生方向の反転可能期間であることをユーザに報知するため、リモコン信号送信部３１からモニタ装置２のリモコン受信部２２ａに信号を送って、モニタ装置２の画面にチャンネル表示を行う。
これにより、再生方向を反転したい場合のプリントボタン３７ａの解放のタイミングが分かりやすくなる。
【００４７】
このチャンネル表示は、従来のチャンネル表示の機能を利用したものであり、これによりユーザは、テレビの画面から視線を動かさずに、必要な画面を取り込むことができる。この報知は、表示部３８の液晶モニタ、ＬＥＤなどに表示して報知してもよい。または、音声出力部３９の電子ブザー、電子合成音声などを発生させて報知してもよい。
【００４８】
また、この報知は、他の期間も行うようにしてもよい。つまり、ＶＴＲの再生方向の反転可能期間を、他の期間と区別してユーザに知らせるために、プリントボタン３７ａが押し下げられてスロー再生の状態に入った時点から、第１の所定時間Ｔ１が経過するまでの間も、他の方法で報知するようにしてもよい。また、第２の所定時間Ｔ２が経過してから、プリントボタン３７ａが解放されるまでの間も、他の方法で報知するようにしてもよい。
【００４９】
操作部３７には、プリントボタン３７ａの他に時間設定用のキーが設けられており、このキーを用いて、第１の所定時間Ｔ１と第２の所定時間Ｔ２を、ユーザによって任意に設定することが可能となっている。これにより、使用者の敏捷性に応じた時間設定が可能となり、使用者の待ち時間を短くすることができる。
【００５０】
また、ｔ０の時点での指示、つまりプリントボタン３７ａの第１回目の押し下げ時点での指示における、逆方向のスロー再生のスピードも、ユーザによって任意に設定することが可能となっており、これにより、使用者の敏捷性に応じた正確なタイミングで所望の画面を取り込むことが可能となり、使用者の無駄な待ち時間を短くすることができる。
【００５１】
次に、制御部４０の動作を図３および図４に示すフローチャートに従い説明する。このフローチャートでは、第１の所定時間Ｔ１を３秒、第２の所定時間Ｔ２を６秒に設定した例で説明する。
【００５２】
図３に示すように、プリントボタン３７ａが押し下げられると、タイマーをスタートさせ（ステップＳ１）、Ｔ２（６秒）の時間の経過を調べる（ステップＳ２）。この時間の経過は、通常の再生時に、プリントボタン３７ａの１回目の押し下げから２回目の押し下げまでの時間を調べるものであり、この時間がＴ２（６秒）よりも長いと、本発明の制御モードに入らない。
【００５３】
時間Ｔ２（６秒）以内にプリントボタン３７ａが解放されると（ステップＳ３）、本発明の制御モードに入り、リモコン信号送信部３１からＶＴＲ１に信号を送信して、逆方向のスロー再生（スピードＳｎ）を指示する（ステップＳ４）。
【００５４】
そして、プリントボタン３７ａの２回目の押し下げ待ちの状態になり、プリントボタン３７ａが押し下げられると（ステップＳ５）、ＶＴＲ１に信号を送信して、一時停止を指示する（ステップＳ６）。
【００５５】
この時点で、タイマーをスタートさせ（ステップＳ７）、ＶＴＲ１の一時停止を確認してから(ステップＳ８)、フレームバッファ３４ｂに印刷画像を１画面分蓄積する（ステップＳ９）。
【００５６】
そして、時間Ｔ２（６秒）の経過を調べ（ステップＳ１０）、時間Ｔ２（６秒）以内にプリントボタン３７ａが解放されており（ステップＳ１１）、かつ時間Ｔ１（３秒）が経過していなければ（ステップＳ１２）、印刷処理を開始し（ステップＳ１３）、ＶＴＲ１に信号を送信して、順方向の通常の再生を指示する（ステップＳ６）。
【００５７】
ステップ１０において、時間Ｔ２（６秒）が経過していれば、モニタ装置２にチャンネル表示消去信号を送信して、チャンネル表示を消去する（ステップＳ１５）。
【００５８】
ステップＳ１１およびＳ１１において、プリントボタン３７ａが解放された時に、時間Ｔ１（３秒）が経過していれば、ステップＳ１６に進む。なお、ステップ１１において、時間Ｔ１（３秒）が経過してから、プリントボタン３７ａが解放されるまでは、再生方向の反転可能期間であることを報知するために、モニタ装置２にチャンネル表示信号を送信して、モニタ装置２のチャンネル表示を行う。
【００５９】
ステップＳ１６では、モニタ装置２にチャンネル表示消去信号を送信して、チャンネル表示を消去し、再生スピードを決定する（ステップＳ１７）。
【００６０】
ここで、スロー再生を指示する場合には、第１回目のスロー再生であることをカウントして(ステップＳ１８)、方向を反転し、スピードＳｎでスロー再生を行う信号をＶＴＲ１に送信して（ステップＳ１９）、ステップＳ５に戻る。
【００６１】
ステップＳ１７で、１秒間隔のコマ送りを指示する場合には、方向を反転して、コマ送り間隔を１秒に設定し（ステップＳ２０）、２秒間隔のコマ送りを指示する場合には、方向を反転して、コマ送り間隔を２秒に設定する（ステップＳ２０）。
【００６２】
そして、方向の反転とコマ送りの信号をＶＴＲ１に送信して（ステップＳ２２）、プリントボタン３７ａの押し下げが継続されていれば(ステップＳ２３)、１秒または２秒のコマ送り間隔の経過を調べて(ステップＳ２４)、ステップＳ２２に戻る。ステップＳ２３において、プリントボタン３７ａが解放されていれば、ステップＳ６に戻る。
【００６３】
第２回目のプリントボタン３７ａの押し下げが行われ、タイマーがスタートして時間Ｔ１（３秒）が経過すると、図４に示すように、ＶＴＲ１の一時停止を確認し（ステップＳ）、一時停止していれば、プリントボタン３７ａが解放されるまで、またはプリントボタン３７ａが押し下げられたまま時間Ｔ２（６秒）が経過するまでは、再生方向の反転可能期間であることを報知するために、モニタ装置２にチャンネル表示信号を送信して、モニタ装置２のチャンネル表示を行う（ステップＳ３２）。この報知は、表示部３８で表示によって報知してもよいし（ステップＳ３３）、音声出力部３９から音声で報知してもよい（ステップＳ３４）。
【００６４】
このようにして、プリンタ側の１回目のボタン操作で、まずＶＴＲにコマンドを送って逆スロー再生に移行させ、２回目のボタン操作で、ＶＴＲを一時停止させ、画像を取り込んで印刷を行うことにより、ユーザにとって予備知識のない映像であっても、印刷したい画面をプリンタ側から効率よく指定することができる。
【００６５】
【発明の効果】
本発明によれば、単一の操作キーの１回目の操作で、映像再生装置へ逆方向スロー再生を指示し、２回目の操作で、映像再生装置から受けた映像信号に応じた画像のプリントを印刷部に指示するようにしたので、単一キーの操作で、画像を取り込むための一連の動作を映像再生装置に指示することができ、ユーザにとって予備知識のない映像であっても、印刷したい画面をプリンタ側から効率よく指定することができる。
【図面の簡単な説明】
【図１】本発明による画像形成装置の一実施形態の構成を示すブロック図である。
【図２】プリントボタン３７ａの操作に応じて行う制御部の動作を示す説明図である。
【図３】制御部の動作を示すフローチャートである。
【図４】制御部の動作を示すフローチャートである。
【符号の説明】
１  ＶＴＲ
２  モニタ装置
３  プリンタ
１１  制御部
１２  再生部
１２ａ  映像記録メディア
１３  操作部
１３ａ，２２ａ  リモコン受信部
１４  出力部
２１  制御部
２２  操作部
３１  リモコン信号送信部
３２  映像入力部
３３  Ａ／Ｄ変換部
３４  メモリ
３４ａ  フレームバッファ
３５  画像処理部
３６  印刷部
３７  操作部
３７ａ  プリントボタン
３８  表示部
３９  音声出力部
４０  制御部
【図１】
0003850744.tif 000002
【図２】
0003850744.tif 000003
【図３】
0003850744.tif 000004
【図４】
0003850744.tif 000005